(57)【要約】【課題】防水パネルを容易、迅速に設置することができるのみならず、支柱の溝部と防水パネルとの間で十分な止水性能を確保することのできる防水パネル柵の止水構造を提供する。【解決手段】洪水や津波による浸水を防止する防水パネル柵５の止水構造１に関する。複数の支柱２と、複数の支柱２の間に設置される防水パネル３と、浸水方向となる正面側Ａに取り付けられる嵌設支圧部材４とを備える。複数の支柱２は、支柱２の長手方向に延びる溝部２４が各々に形成されて、隣り合う複数の支柱２の溝部２４を相対させて一対の溝部２４が設けられるとともに、溝部２４の内側で支柱２の長手方向に延びる止水材２５が浸水方向となる正面側Ａに突出させて設けられる。防水パネル３は、一対の溝部２４に嵌め入れられることにより、防水パネル３の背面部３ａが溝部２４の内側で止水材２５に当接されて、浸水方向の反対側となる背面側Ｂで止水材２５に支圧される。【選択図】図１
2014181535.tif 000002
【特許請求の範囲】
【請求項１】
洪水や津波による浸水を防止する防水パネル柵の止水構造であって、
所定の間隔で設置される複数の支柱と、前記複数の支柱の間に設置される防水パネルと、浸水方向となる正面側に取り付けられる嵌設支圧部材とを備え、
前記複数の支柱は、前記支柱の長手方向に延びる溝部が各々に形成されて、隣り合う前記複数の支柱の前記溝部を相対させて一対の溝部が設けられるとともに、前記溝部の内側で前記支柱の長手方向に延びる止水材が浸水方向となる正面側に突出させて設けられ、
前記防水パネルは、前記一対の溝部に嵌め入れられることにより、前記防水パネルの背面部が前記溝部の内側で前記止水材に当接されて、前記嵌設支圧部材によって浸水方向の反対側となる背面側で前記止水材に支圧されること
を特徴とする防水パネル柵の止水構造。
【請求項２】
前記防水パネルは、上下方向に連接される複数の防水パネルユニットを有し、
前記嵌設支圧部材は、前記複数の防水パネルユニットにおける各々の幅方向の両端部で、少なくとも１個ずつ取り付けられること
を特徴とする請求項１記載の防水パネル柵の止水構造。
【請求項３】
前記嵌設支圧部材は、前記溝部の内側に嵌設される嵌設部と、前記嵌設部から延びて設けられる支持部と、前記防水パネルを支圧する支圧部とを有し、
前記支圧部は、前記防水パネルの正面部に当接される押当部を有し、前記支持部に設けられたメネジ部に螺合されて前記支持部に支持されること
を特徴とする請求項１又は２記載の防水パネル柵の止水構造。
【請求項４】
前記嵌設支圧部材は、前記溝部の内側に嵌設される嵌設部と、前記嵌設部から延びて設けられる支持部と、前記防水パネルを支圧する支圧部とを有し、前記嵌設部が前記溝部の内側に嵌設された状態を弾性変形によって保持する弾性部材が設けられること
を特徴とする請求項１又は２記載の防水パネル柵の止水構造。
【請求項５】
前記嵌設支圧部材は、前記溝部の内側に嵌設される嵌設部と、前記嵌設部から延びて設けられる支持部と、前記防水パネルを支圧する支圧部とを有し、
前記支持部は、前記嵌設部が前記溝部の内側に嵌設された状態を弾性変形によって保持する弾性部材が収容される弾性部材収容部が設けられ、
前記支圧部は、前記防水パネルの正面部に当接される前記弾性部材を有し、前記支持部に設けられたメネジ部に螺合されて前記支持部に支持されること
を特徴とする請求項１又は２記載の防水パネル柵の止水構造。
【発明の詳細な説明】
【技術分野】
【０００１】
本発明は、台風による河川の洪水や海岸付近での津波や高潮等によって、沿岸部の建築物や道路等に浸水被害が発生することを防止する防水パネル柵の止水構造に関する。
【背景技術】
【０００２】
従来より、河川の洪水による浸水被害を防止することを目的に河川の堤防に設置されるものとして、特許文献１に開示された可搬式越水防止装置が提案されている。
【０００３】
特許文献１に開示された可搬式越水防止装置は、平常時において、河川の堤防に設けられた複数のポストホールに親杭（支柱）が収納されるとともに、洪水時において、各々のポストホールから親杭（支柱）が引き上げられて、隣り合う親杭（支柱）の間に複数の横矢板（パネル）が張られることによって、河川の堤防において組み立てられるものである。
【０００４】
特許文献１に開示された可搬式越水防止装置は、隣り合う親杭（支柱）の溝部に複数の横矢板（パネル）が嵌め入れられ、これら複数の横矢板（パネル）が上下方向に連接される構造となっている。このため、特許文献１に開示された可搬式越水防止装置は、親杭（支柱）の溝部と各々の横矢板（パネル）との間に生じる隙間や、複数の横矢板（パネル）が連接される箇所に生じる隙間、及び、最下段の横矢板（パネル）と河川の堤防における設置面との間に生じる隙間において、浸水を防止するための止水構造が必要となる。
【０００５】
このとき、特許文献１に開示された可搬式越水防止装置は、親杭（支柱）の溝部と各々の横矢板（パネル）との間に生じる隙間にゴムパッキンが設けられ、また、複数の横矢板（パネル）が連接される箇所にホゾ及びホゾ穴が設けられ、さらに、最下段の横矢板（パネル）と河川の堤防における設置面との間に横矢板固定用部材の溝が設けられることにより、これらの隙間における遮水性を向上させて止水構造が設けられたものとなる。
【０００６】
なお、特許文献１に開示された可搬式越水防止装置は、満水時の浮力に耐え得る構成として、浮力が小さい横矢板（パネル）を用いるようにしてもよいし、最上段の横矢板（パネル）の上部と親杭（支柱）の上部とを固定する固定部材が設けられてもよいものとされている。
【先行技術文献】
【特許文献】
【０００７】
【特許文献１】特開２０１１−４７１５０号公報
【発明の概要】
【発明が解決しようとする課題】
【０００８】
しかし、特許文献１に開示された可搬式越水防止装置は、特許文献１の図７に示されるように、親杭（支柱）の溝部で相対する一対のゴムパッキンがあらかじめ設けられるものであり、この相対する一対のゴムパッキンに横矢板（パネル）が挟み込まれて、親杭（支柱）の溝部と各々の横矢板（パネル）との間における遮水性を向上させるものである。
【０００９】
このとき、特許文献１に開示された可搬式越水防止装置は、親杭（支柱）の溝部と横矢板（パネル）との間における遮水性を向上させるために、相対する一対のゴムパッキンにより形成される間隙が、横矢板（パネル）の厚みよりも小さくて狭いものとなる。このため、特許文献１に開示された可搬式越水防止装置は、横矢板（パネル）における幅方向の両端部の各々を、相対する一対のゴムパッキンの狭い間隙に押し込むことが必要となり、親杭（支柱）や横矢板（パネル）の設置に高い施工精度が要求されることになるという問題点があった。
【００１０】
また、特許文献１に開示された可搬式越水防止装置は、相対する一対のゴムパッキンの狭い間隙に、横矢板（パネル）における幅方向の両端部の各々を嵌め入れるために、横矢板（パネル）の吊下げ作業を高い施工精度で実施できるクレーン等の重機が必要となる。このため、特許文献１に開示された可搬式越水防止装置は、洪水時において緊急を要する場合に、即座にクレーン等の重機を手配することが困難であることから、洪水が到達するまでの間に可搬式越水防止装置を組み立てることができないおそれがあるという問題点があった。
【００１１】
そこで、本発明は、上述した問題点に鑑みて案出されたものであり、その目的とするところは、洪水や津波による浸水を防止する防水パネル柵について、複数の支柱の間に防水パネルを容易、迅速に設置することができるのみならず、支柱の溝部と防水パネルとの間で十分な止水性能を確保することのできる防水パネル柵の止水構造を提供することにある。
【課題を解決するための手段】
【００１２】
第１発明に係る防水パネル柵の止水構造は、洪水や津波による浸水を防止する防水パネル柵の止水構造であって、所定の間隔で設置される複数の支柱と、前記複数の支柱の間に設置される防水パネルと、浸水方向となる正面側に取り付けられる嵌設支圧部材とを備え、前記複数の支柱は、前記支柱の長手方向に延びる溝部が各々に形成されて、隣り合う前記複数の支柱の前記溝部を相対させて一対の溝部が設けられるとともに、前記溝部の内側で前記支柱の長手方向に延びる止水材が浸水方向となる正面側に突出させて設けられ、前記防水パネルは、前記一対の溝部に嵌め入れられることにより、前記防水パネルの背面部が前記溝部の内側で前記止水材に当接されて、前記嵌設支圧部材によって浸水方向の反対側となる背面側で前記止水材に支圧されることを特徴とする。
【００１３】
第２発明に係る防水パネル柵の止水構造は、第１発明において、前記防水パネルは、上下方向に連接される複数の防水パネルユニットを有し、前記嵌設支圧部材は、前記複数の防水パネルユニットにおける各々の幅方向の両端部で、少なくとも１個ずつ取り付けられることを特徴とする。
【００１４】
第３発明に係る防水パネル柵の止水構造は、第１発明又は第２発明において、前記嵌設支圧部材は、前記溝部の内側に嵌設される嵌設部と、前記嵌設部から延びて設けられる支持部と、前記防水パネルを支圧する支圧部とを有し、前記支圧部は、前記防水パネルの正面部に当接される押当部を有し、前記支持部に設けられたメネジ部に螺合されて前記支持部に支持されることを特徴とする。
【００１５】
第４発明に係る防水パネル柵の止水構造は、第１発明又は第２発明において、前記嵌設支圧部材は、前記溝部の内側に嵌設される嵌設部と、前記嵌設部から延びて設けられる支持部と、前記防水パネルを支圧する支圧部とを有し、前記嵌設部が前記溝部の内側に嵌設された状態を弾性変形によって保持する弾性部材が設けられることを特徴とする。
【００１６】
第５発明に係る防水パネル柵の止水構造は、第１発明又は第２発明において、前記嵌設支圧部材は、前記溝部の内側に嵌設される嵌設部と、前記嵌設部から延びて設けられる支持部と、前記防水パネルを支圧する支圧部とを有し、前記支持部は、前記嵌設部が前記溝部の内側に嵌設された状態を弾性変形によって保持する弾性部材が収容される弾性部材収容部が設けられ、前記支圧部は、前記防水パネルの正面部に当接される前記弾性部材を有し、前記支持部に設けられたメネジ部に螺合されて前記支持部に支持されることを特徴とする。
【発明の効果】
【００１７】
第１発明〜第５発明によれば、防水パネルを一対の溝部に遊嵌させて嵌め入れることができるため、高い施工精度を要求することなく、防水パネルを複数の支柱の間に設置することが可能となり、洪水時においてクレーン等の重機を手配することができない場合であっても、容易、迅速に複数の支柱の間に防水パネルを設置することができ、洪水が到達するまでの間に、施工、組立時間を短縮して確実に防水パネル柵を組み立てることが可能となる。また、第１発明〜第５発明によれば、洪水等の水が引いて防水パネルを撤去する場合においても、嵌設支圧部材を取り外して防水パネルを複数の支柱の間から引き抜くのみで、容易、迅速に防水パネルを撤去することが可能となる。
【００１８】
また、第１発明〜第５発明によれば、洪水等が発生して、浸水方向となる正面側から防水パネル柵に水が押し寄せた場合であっても、洪水等の初期状態において、溝部の内側まで流入した水が止水材で止水されるものとなり、防水パネル柵の背面側まで水が浸水することを防止することが可能となる。
【００１９】
また、第１発明〜第５発明によれば、防水パネル柵の正面側から水が衝突した場合や、防水パネル柵の正面側に水が貯まって防水パネルに作用する水圧が高くなった場合であっても、溝部の内側で止水材を奥行方向に圧縮させる方向に防水パネルが押圧されるため、止水材に防水パネルの背面部がより密接するものとなり、止水材による止水性能を向上させることが可能となる。
【００２０】
さらに、第１発明〜第５発明によれば、防水パネルが一対の溝部に遊嵌されて嵌め入れられるため、溝部に嵌め入れられた防水パネルに、奥行方向の傾斜や上下方向のずれが生じた場合であっても、嵌設支圧部材によって防水パネルが背面側に支圧され、又は、防水パネル柵の正面側に水が貯まって防水パネルに作用する水圧が高くなることで、溝部の内側で止水材を奥行方向に圧縮させる方向に防水パネルが押圧されるため、防水パネルの奥行方向の傾斜や上下方向のずれを矯正させることが可能となる。
【００２１】
特に、第２発明によれば、複数の防水パネルユニットにおける各々の幅方向の両端部で、嵌設支圧部材が少なくとも１個ずつ取り付けられることで、嵌設支圧部材によって各々の防水パネルユニットを強固に支圧することができ、止水材による止水性能を確実なものとすることが可能となる。
【００２２】
特に、第３発明〜第５発明によれば、嵌設部の挿入板を間隙に挿入して支圧部となるボルトを締め込むことで、容易、迅速に嵌設支圧部材によって防水パネルを背面側に支圧することができ、洪水が到達するまでの間に、溝部の内側で防水パネルを確実に背面側に支圧することが可能となる。また、第３発明〜第５発明によれば、支圧部となるボルトを緩めることにより、容易、迅速に嵌設支圧部材を取り外すことも可能となる。
【００２３】
特に、第４発明、第５発明によれば、防水パネルの正面部と支柱の正面側フランジとの間に形成される間隙が、洪水等の初期状態よりも大きくなった場合であっても、溝部の内側に嵌設された嵌設支圧部材の嵌設部が緩むことを防止して、嵌設支圧部材が脱落することを回避することが可能となる。
【図面の簡単な説明】
【００２４】
【図１】本発明に係る防水パネル柵の止水構造が用いられた防水パネル柵を示す斜視図である。
【図２】（ａ）は、本発明に係る防水パネル柵の止水構造の支柱を示す正面図であり、（ｂ）は、その平面図である。
【図３】（ａ）は、本発明に係る防水パネル柵の止水構造の防水パネルを示す正面図であり、（ｂ）は、その側面図である。
【図４】本発明に係る防水パネル柵の止水構造の嵌設支圧部材を示す斜視図である。
【図５】（ａ）は、本発明に係る防水パネル柵の止水構造が用いられる防水パネル柵を示す正面図であり、（ｂ）は、その平面図である。
【図６】本発明に係る防水パネル柵の止水構造において、防水パネルを溝部に嵌め入れる状態を示す平面図である。
【図７】本発明に係る防水パネル柵の止水構造において、防水パネルの正面部と支柱の正面側フランジとの間に形成された間隙に挿入板が挿入される状態を示す平面図である。
【図８】本発明に係る防水パネル柵の止水構造において、溝部の内側に嵌設部が嵌設されて、押当部が防水パネルの正面部に当接される状態を示す平面図である。
【図９】本発明に係る防水パネル柵の止水構造において、支柱の正面側フランジから挿入板が反力を得ながら、防水パネルが背面側に支圧される状態を示す平面図である。
【図１０】本発明に係る防水パネル柵の止水構造において、洪水等の初期状態を示す平面図である。
【図１１】（ａ）は、本発明を適用した防水パネル柵の止水構造を示す正面図であり、（ｂ）は、そのＣ−Ｃ線断面図である。
【図１２】（ａ）は、本発明に係る防水パネル柵の止水構造の嵌設支圧部材の第１変形例を示す平面図であり、（ｂ）は、嵌設支圧部材の第２変形例を示す平面図である。
【発明を実施するための形態】
【００２５】
以下、本発明を適用した防水パネル柵の止水構造１を実施するための形態について、図面を参照しながら詳細に説明する。
【００２６】
本発明を適用した防水パネル柵の止水構造１は、図１に示すように、浸水域との境界に設置される防水パネル柵５に用いられるものであり、台風による河川の洪水や海岸付近での津波や高潮等によって、沿岸部の建築物や道路等に浸水被害が発生することを防止するものである。
【００２７】
本発明を適用した防水パネル柵の止水構造１は、防水パネル柵５の幅方向Ｘに所定の間隔で設置される複数の支柱２と、複数の支柱２の間に設置される防水パネル３と、浸水方向となる正面側Ａで防水パネル柵５に取り付けられる嵌設支圧部材４とを備える。
【００２８】
複数の支柱２は、図２に示すように、各々の支柱２の下部２ａが地盤７に埋め込まれ、地盤７に所定の間隔を空けて立設される。各々の支柱２は、これに限らず、支柱２の下部２ａを地盤７に埋め込むことなく、支柱２の下部２ａにベースプレートを取り付けて地盤７に立設させてもよい。各々の支柱２は、略Ｈ形断面形状の形鋼等が用いられ、浸水方向となる正面側Ａに設けられる正面側フランジ２１と、浸水方向の反対側となる背面側Ｂに設けられる背面側フランジ２２と、正面側フランジ２１の略中央から背面側フランジ２２の略中央に向けて延びて設けられるウェブ２３とを備える。
【００２９】
各々の支柱２は、正面側フランジ２１と背面側フランジ２２とが略平行に設けられ、正面側フランジ２１及び背面側フランジ２２に対してウェブ２３が略垂直に設けられる。各々の支柱２は、正面側フランジ２１、背面側フランジ２２及びウェブ２３により平面視における３方向が取り囲まれて、幅方向Ｘでウェブ２３と反対側に開口された溝部２４が形成される。
【００３０】
各々の支柱２は、各々の支柱２の長手方向に延びる溝部２４が形成されたものとなり、隣り合う複数の支柱２の各々に形成された溝部２４の開口が幅方向Ｘで互いに対向するように地盤７に設置される。このとき、複数の支柱２は、隣り合う複数の支柱２の各々に形成された溝部２４を相対させて一対の溝部２４が設けられるものとなる。
【００３１】
各々の支柱２は、溝部２４の内側で支柱２の長手方向に延びて、鉛直方向の所定の範囲で止水材２５が設けられる。止水材２５は、ＣＲゴム等の弾性樹脂を材質とした中空状ゴムガスケットが用いられ、背面側フランジ２２に接着剤等で取り付けられる。止水材２５は、平面視における幅方向Ｘの中間部が隆起するように湾曲され、背面側フランジ２２から浸水方向となる正面側Ａに向けて突出させて設けられる。止水材２５は、これに限らず、如何なる材質のものが如何なる形状で設けられてもよい。
【００３２】
防水パネル３は、図３に示すように、複数の防水パネルユニット３１を備えるものであり、３つの防水パネルユニット３１を上下方向Ｙに連接されて構成される。防水パネル３は、これに限らず、如何なる数量の防水パネルユニット３１によって構成されてもよく、また、複数の防水パネルユニット３１を一体化したものによって構成されてもよい。
【００３３】
防水パネルユニット３１は、中空状の５本の角形鋼管３２が上下方向Ｙに連接される。防水パネルユニット３１は、これらの角形鋼管３２の間にコーキング材等を充填することによって止水され、これらの角形鋼管３２がボルトナットや溶接等によって連結される。防水パネルユニット３１は、これに限らず、中実状の角形鋼管３２が用いられてもよく、如何なる数量の角形鋼管３２が如何なる手段で止水されて連結されてもよい。
【００３４】
嵌設支圧部材４は、図４に示すように、略Ｌ形状の嵌設部４１と、平板状の支持部４２と、支持部４２に取り付けられる支圧部４３とを備える。嵌設支圧部材４は、所定の剛性を有する鋼製のものが用いられるが、これに限らず、如何なる材質のものが用いられてもよい。
【００３５】
嵌設部４１は、平板状の挿入板４１ａと、挿入板４１ａの端部から略垂直に延びて設けられる架設板４１ｂとを備える。支持部４２は、架設板４１ｂの端部から略垂直に延びて嵌設部４１の挿入板４１ａと略平行に設けられ、略円形状の孔部４２ａが形成される。支持部４２は、支持部４２と嵌設部４１の架設板４１ｂとを連結する２枚の補剛板４２ｄが設けられる。
【００３６】
支持部４２は、支持部４２の内面４２ｃにおいて、孔部４２ａに重ね合わされてナットが溶接により固定され、メネジ部４２ｂが設けられる。支持部４２は、これに限らず、如何なる手段でナットが固定されてもよく、また、孔部４２ａをタップ加工してネジ切りすることにより、メネジ部４２ｂが設けられてもよい。
【００３７】
支圧部４３は、側面がネジ切りされたボルト４３ａが用いられ、ボルト４３ａの先端部に押当部４３ｂが設けられる。支圧部４３は、押当部４３ｂがボルト４３ａの先端部よりも大きい外径で略円形状に形成される。支圧部４３は、ボルト４３ａの基端部にナットを溶接して固定することによってボルト頭４３ｃが設けられる。支圧部４３は、これに限らず、如何なる手段でボルト頭４３ｃが設けられてもよい。
【００３８】
支圧部４３は、支持部４２に形成された孔部４２ａにボルト４３ａの先端部を挿通させて、支持部４２に固定されたメネジ部４２ｂにボルト４３ａを螺合させることにより、支持部４２に支持されるものとなる。支圧部４３は、ボルト４３ａをメネジ部４２ｂに螺合させた後に、ボルト４３ａの先端部に押当部４３ｂが取り付けられて設けられる。
【００３９】
防水パネル柵５は、図５に示すように、隣り合う複数の支柱２の一対の溝部２４に対して、複数の防水パネルユニット３１が上方から順次落とし込まれることによって、防水パネル３が嵌め入れられて設置される。これにより、防水パネル柵５は、複数の支柱２の間で地盤７の設置面７ａに防水パネル３が設置されたものとなる。
【００４０】
防水パネル柵５は、図６に示すように、各々の防水パネルユニット３１の奥行方向Ｚの厚さが溝部２４の奥行方向Ｚの奥行きよりも小さいものとされるため、各々の防水パネルユニット３１を一対の溝部２４に遊嵌させて嵌め入れることができる。
【００４１】
本発明を適用した防水パネル柵の止水構造１は、防水パネル３を一対の溝部２４に遊嵌させて嵌め入れることができるため、高い施工精度を要求することなく、防水パネル３を複数の支柱２の間に設置することが可能となる。
【００４２】
これにより、本発明を適用した防水パネル柵の止水構造１は、洪水時においてクレーン等の重機を手配することができない場合であっても、複数の支柱２の間にフォークリフト等を用いて容易、迅速に防水パネル３を設置することができ、洪水が到達するまでの間に、施工、組立時間を短縮して確実に防水パネル柵５を組み立てることが可能となる。
【００４３】
本発明を適用した防水パネル柵の止水構造１は、図７に示すように、防水パネル３が一対の溝部２４に嵌め入れられて、支柱２の背面側フランジ２２に設けられた止水材２５に防水パネル３の背面部３ａが当接されて、防水パネル３の正面部３ｂと支柱２の正面側フランジ２１との間に形成される間隙Ｇに、嵌設部４１の挿入板４１ａが挿入される。
【００４４】
本発明を適用した防水パネル柵の止水構造１は、図８に示すように、嵌設部４１の挿入板４１ａが間隙Ｇに挿入されることで、溝部２４の内側に嵌設支圧部材４の嵌設部４１が嵌設されて、支圧部４３に設けられた押当部４３ｂが防水パネル３の正面部３ｂに面状に当接される。
【００４５】
本発明を適用した防水パネル柵の止水構造１は、図９に示すように、支圧部４３に設けられた押当部４３ｂが防水パネル３の正面部３ｂに当接されて、メネジ部４２ｂに螺合されたボルト４３ａが締め込まれる。このとき、本発明を適用した防水パネル柵の止水構造１は、支柱２の正面側フランジ２１から嵌設部４１の挿入板４１ａが反力を得ながら、支圧部４３によって防水パネル３が溝部２４の内側で背面側Ｂに支圧されることになる。
【００４６】
これにより、本発明を適用した防水パネル柵の止水構造１は、嵌設部４１の挿入板４１ａを間隙Ｇに挿入してボルト４３ａを締め込むことで、容易、迅速に嵌設支圧部材４によって防水パネル３を背面側Ｂに支圧することができ、洪水が到達するまでの間に、溝部２４の内側で防水パネル３を確実に背面側Ｂに支圧することが可能となる。また、本発明を適用した防水パネル柵の止水構造１は、ボルト４３ａを緩めることにより、容易、迅速に嵌設支圧部材４を取り外すことも可能となる。
【００４７】
また、本発明を適用した防水パネル柵の止水構造１は、ボルト４３ａが防水パネル３の正面部３ｂに対して傾斜して締め込まれた場合であっても、防水パネル３の正面部３ｂに押当部４３ｂが面状に当接されることで、防水パネル３の正面部３ｂを支圧部４３で均等に支圧することが可能となる。さらに、本発明を適用した防水パネル柵の止水構造１は、嵌設支圧部材４において、嵌設部４１の挿入板４１ａと幅方向Ｘの位置をずらして支持部４２が設けられるため、支柱２の正面側フランジ２１に削孔等の加工をすることなく、防水パネル３の正面部３ｂを支圧部４３で支圧することが可能となる。
【００４８】
本発明を適用した防水パネル柵の止水構造１は、高い施工精度を要求することなく、複数の支柱２の間に防水パネル３を設置して、嵌設支圧部材４によって容易、迅速に防水パネル３を背面側Ｂに支圧することができるだけでなく、洪水等の水Ｗが引いて防水パネル３を撤去する場合においても、嵌設支圧部材４を取り外して防水パネル３を複数の支柱２の間から引き抜くのみで、容易、迅速に防水パネル３を撤去することが可能となる。
【００４９】
本発明を適用した防水パネル柵の止水構造１は、嵌設支圧部材４によって防水パネル３が溝部２４の内側で背面側Ｂに支圧され、弾性変形する中空状ゴムガスケットの止水材２５が防水パネル３の背面部３ａに押し潰されるようにして奥行方向Ｚに圧縮されることで、防水パネル３の背面部３ａに止水材２５が密接するものとなる。
【００５０】
これにより、本発明を適用した防水パネル柵の止水構造１は、図１０に示すように、洪水等が発生して、浸水方向となる正面側Ａから防水パネル柵５に水Ｗが押し寄せた場合であっても、洪水等の初期状態において、溝部２４の内側まで流入した水Ｗが止水材２５で止水されるものとなり、止水材２５による止水性能が発揮されて、防水パネル柵５の背面側Ｂまで水Ｗが浸水することを防止することが可能となる。
【００５１】
また、本発明を適用した防水パネル柵の止水構造１は、防水パネル柵５の正面側Ａから水Ｗが衝突した場合や、防水パネル柵５の正面側Ａに水Ｗが貯まって防水パネル３に作用する水圧が高くなった場合であっても、溝部２４の内側で止水材２５を奥行方向Ｚに圧縮させる方向に防水パネル３が押圧されるため、止水材２５に防水パネル３の背面部３ａがより密接するものとなり、止水材２５による止水性能を向上させることが可能となる。
【００５２】
さらに、本発明を適用した防水パネル柵の止水構造１は、防水パネルユニット３１が一対の溝部２４に遊嵌されて嵌め入れられるため、溝部２４に嵌め入れられた防水パネルユニット３１に、奥行方向Ｚの傾斜や上下方向Ｙのずれが生じた場合であっても、嵌設支圧部材４によって防水パネル３が背面側Ｂに支圧され、又は、防水パネル柵５の正面側Ａに水Ｗが貯まって防水パネル３に作用する水圧が高くなることで、溝部２４の内側で止水材２５を奥行方向Ｚに圧縮させる方向に防水パネル３が押圧されて、防水パネル３の奥行方向Ｚの傾斜や上下方向Ｙのずれを矯正させることが可能となる。
【００５３】
本発明を適用した防水パネル柵の止水構造１は、図１１（ａ）に示すように、各々の防水パネルユニット３１の幅方向Ｘの両端部で、嵌設支圧部材４が各々に２個ずつ取り付けられる。本発明を適用した防水パネル柵の止水構造１は、複数の防水パネルユニット３１における各々の幅方向Ｘの両端部で、嵌設支圧部材４が少なくとも１個ずつ取り付けられることで、嵌設支圧部材４によって各々の防水パネルユニット３１を強固に支圧することができ、止水材２５による止水性能を確実なものとすることが可能となる。
【００５４】
本発明を適用した防水パネル柵の止水構造１は、図１１（ｂ）に示すように、溝部２４の内側で支柱２の長手方向に延びて止水材２５が設けられ、防水パネル３の上下方向Ｙの全長に亘って止水材２５が密接するものとなるため、溝部２４の内側と防水パネル３の背面部３ａとの間において、止水材２５による止水性能を確実なものとすることが可能となる。
【００５５】
本発明を適用した防水パネル柵の止水構造１は、下段の防水パネルユニット３１の下面で、幅方向Ｘに延びてゴムガスケット３３が設けられることで、地盤７の設置面７ａと防水パネル３との間において、ゴムガスケット３３による止水性能を確実なものとすることが可能となる。本発明を適用した防水パネル柵の止水構造１は、下段の防水パネルユニット３１の上面と中段の防水パネルユニット３１の下面との間や、中段の防水パネルユニット３１の上面と上段の防水パネルユニット３１の下面との間にも、ゴムガスケット３３を設けることができ、これにより、これらの間における止水性能を確実なものとすることが可能となる。
【００５６】
なお、本発明を適用した防水パネル柵の止水構造１は、嵌設支圧部材４において、略Ｌ形状の嵌設部４１の架設板４１ｂに沿うようにして筒状の支持部４２が取り付けられてもよい。このとき、筒状の支持部４２は、支持部４２の内面４２ｃにおいてネジ切りされてメネジ部４２ｂが設けられ、側面がネジ切りされたボルト４３ａをメネジ部４２ｂに螺合させることで、支圧部４３が支持されるものとなる。
【００５７】
また、本発明を適用した防水パネル柵の止水構造１は、図１２（ａ）に示すように、嵌設支圧部材４の第１変形例において、略Ｌ形状の嵌設部４１と、平板状の支持部４２と、支持部４２に取り付けられる支圧部４３とを備え、支圧部４３の押当部４３ｂに弾性部材４４を設けるものとしてもよい。このとき、弾性部材４４は、防水パネル３の正面部３ｂに当接されるように、押当部４３ｂと防水パネル３の正面部３ｂとの間で、押当部４３ｂにゴム部材４４ａ等を取り付けることによって設けられる。
【００５８】
さらに、本発明を適用した防水パネル柵の止水構造１は、図１２（ｂ）に示すように、嵌設支圧部材４の第２変形例において、略Ｌ形状の嵌設部４１と、平板状の支持部４２と、支持部４２に取り付けられる支圧部４３とを備え、嵌設部４１の架設板４１ｂに弾性部材４４が収容される弾性部材収容部４５が設けられ、支圧部４３のボルト４３ａの先端部に弾性部材４４を設けるものとしてもよい。このとき、弾性部材４４は、防水パネル３の正面部３ｂに当接されるように、支圧部４３のボルト４３ａの先端部と防水パネル３の正面部３ｂとの間で、弾性部材収容部４５に板バネ４４ｂやコイルバネ等が下方から支持されるものとなる。
【００５９】
本発明を適用した防水パネル柵の止水構造１は、洪水等の初期状態から、さらに、防水パネル柵５の正面側Ａから水Ｗが衝突した場合や、防水パネル柵５の正面側Ａに水Ｗが貯まって防水パネル３に作用する水圧が高くなった場合において、溝部２４の内側で止水材２５をさらに奥行方向Ｚに圧縮させる方向に防水パネル３が押圧されるものとなる。
【００６０】
このとき、本発明を適用した防水パネル柵の止水構造１は、防水パネル３の正面部３ｂと支柱２の正面側フランジ２１との間に形成される間隙Ｇが、洪水等の初期状態よりも大きくなることで、溝部２４の内側に嵌設された嵌設支圧部材４の嵌設部４１が緩むことになり、嵌設支圧部材４が脱落するおそれがある。
【００６１】
しかし、本発明を適用した防水パネル柵の止水構造１は、嵌設支圧部材４の第１変形例又は第２変形例において、嵌設支圧部材４に弾性部材４４が設けられるため、洪水等の初期状態よりも間隙Ｇが大きくなった場合であっても、弾性部材４４が伸長することで防水パネル３の正面部３ｂに当接された状態が維持され、嵌設部４１が溝部２４の内側に嵌設された状態を保持するものとなる。
【００６２】
これにより、本発明を適用した防水パネル柵の止水構造１は、防水パネル３の正面部３ｂと支柱２の正面側フランジ２１との間に形成される間隙Ｇが、洪水等の初期状態よりも大きくなった場合であっても、溝部２４の内側に嵌設された嵌設支圧部材４の嵌設部４１が緩むことを防止して、嵌設支圧部材４が脱落することを回避することが可能となる。
【００６３】
本発明を適用した防水パネル柵の止水構造１は、第１変形例又は第２変形例においても、嵌設部４１の挿入板４１ａを間隙Ｇに挿入してボルト４３ａを締め込むことで、容易、迅速に嵌設支圧部材４によって防水パネル３を背面側Ｂに支圧することができ、洪水が到達するまでの間に、溝部２４の内側で防水パネル３を確実に背面側Ｂに支圧することが可能となる。また、本発明を適用した防水パネル柵の止水構造１は、ボルト４３ａを緩めることにより、容易、迅速に嵌設支圧部材４を取り外すことも可能となる。
【００６４】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００６５】
１        ：防水パネル柵の止水構造
２        ：支柱
２ａ      ：下部
２１      ：正面側フランジ
２２      ：背面側フランジ
２３      ：ウェブ
２４      ：溝部
２５      ：止水材
３        ：防水パネル
３ａ      ：背面部
３ｂ      ：正面部
３１      ：防水パネルユニット
３２      ：角形鋼管
３３      ：ゴムガスケット
４        ：嵌設支圧部材
４１      ：嵌設部
４１ａ    ：挿入板
４１ｂ    ：架設板
４２      ：支持部
４２ａ    ：孔部
４２ｂ    ：メネジ部
４２ｃ    ：内面
４２ｄ    ：補剛板
４３      ：支圧部
４３ａ    ：ボルト
４３ｂ    ：押当部
４３ｃ    ：ボルト頭
４４      ：弾性部材
４４ａ    ：ゴム部材
４４ｂ    ：板バネ
４５      ：弾性部材収容部
５        ：防水パネル柵
７        ：地盤
７ａ      ：設置面
Ａ        ：正面側
Ｂ        ：背面側
Ｇ        ：間隙
Ｗ        ：水
Ｘ        ：幅方向
Ｙ        ：上下方向
Ｚ        ：奥行方向
【図１】
2014181535.tif 000003
【図２】
2014181535.tif 000004
【図３】
2014181535.tif 000005
【図４】
2014181535.tif 000006
【図５】
2014181535.tif 000007
【図６】
2014181535.tif 000008
【図７】
2014181535.tif 000009
【図８】
2014181535.tif 000010
【図９】
2014181535.tif 000011
【図１０】
2014181535.tif 000012
【図１１】
2014181535.tif 000013
【図１２】
2014181535.tif 000014